(57)【要約】【課題】  旅行代理店などに設置する機器を省略しても、課金を押えることを可能にする。【解決手段】  レンタカー店舗４では、当該旅行者の乗車するレンタカーが確定すると共に、取り付けてあるテレマティクス端末の機器ＩＤが確定する。この確定した機器ＩＤおよび当該旅行者のユーザＩＤ、テレマティクス端末利用有効期間を機器ＩＤ登録端末４１によりセンタ１に通知する。センタ１では、有効期間管理部１６が機器ＩＤとユーザＩＤを結び付けると共に有効期間を設定する。旅行者がレンタカーに乗車し、テレマティクス端末を利用する際には、テレマティクス端末は機器ＩＤによる認証を要求する。アクセス処理部１８が機器ＩＤ認証部１９に問い合わせを行い、問い合わせのあった機器ＩＤについて機器ＩＤ管理部１７に問い合わせを行い、機器ＩＤデータベース１２内の当該レコードの有効期間内かどうかを判断する。【選択図】  図１
2005173712.tif 000002
【特許請求の範囲】
【請求項１】
通信情報端末のレンタル利用時の認証方法であって、
各旅行代理店にユーザＩＤを発行し、該ユーザＩＤを受け取ったユーザが送信したユーザカスタマイズ情報をデータベースに保持しておき、
情報を引き出す際に使用する通信情報端末をユーザ毎に特定し、該通信情報端末とその利用有効期間の情報をユーザＩＤに対応させて保持しておき、
ユーザが情報通信端末を実際に使用するに先立って、通信情報端末の機器ＩＤでユーザを認証し、認証が成功し、かつ前記利用有効期間であれば前記データベースに登録されたユーザカスタマイズ情報を当該ユーザの通信情報端末に送信する、通信情報端末のレンタル利用の際の認証方法。
【請求項２】
通信情報端末のレンタル利用時の認証方法であって、
各旅行代理店に、通信情報端末の利用有効期間が決まったユーザＩＤを発行し、該ユーザＩＤを受け取ったユーザが送信したユーザカスタマイズ情報をユーザデータベースに保持しておき、
ユーザが事前に送信した、旅行当日に使用するユーザ所有の通信装置の電話番号とメールアドレスと前記利用有効期間とユーザＩＤとをユーザＩＤデータベースに登録しておき、
ユーザが通信情報端末を実際に使用するに際して、前記通信情報端末から送信された、通信装置の電話番号と該通信情報端末の機器ＩＤを受信し、前記電話番号でユーザを認証し、認証が成功し、かつ前記利用有効期間内であれば、前記機器ＩＤと、前記ユーザＩＤデータベースの前記ユーザＩＤと前記有効利用期間と前記電話番号と前記メールアドレスを機器データベースに登録するとともに、前記データベースに登録されたユーザカスタマイズ情報を当該ユーザの通信情報端末に送信する、通信情報端末のレンタル利用の際の認証方法。
【請求項３】
ユーザＩＤを保持するユーザＩＤデータベースと、
ユーザＩＤを前記ユーザＩＤデータベースに登録するとともに、保持されているユーザＩＤを旅行代理店に払い出すユーザＩＤ管理手段と、
Ｗｅｂサイトと、
ユーザデータベースと、
ユーザが前記Ｗｅｂサイトに送信したユーザカスタマイズ情報をユーザＩＤとともに前記ユーザデータベースに保存するサイト管理手段と、
機器ＩＤデータベースと、
ユーザが入力した、通信情報端末の機器ＩＤと、その利用有効期間の情報を該ユーザのユーザＩＤと関連づけて前記機器ＩＤデータベースに格納し、また読出す機器ＩＤ管理手段と、
前記通信情報端末よりの機器による認証要求を受信し、また前記通信情報端末に前記ユーザデータベースに保持されているユーザカスタマイズ情報を送信するアクセス処理手段と、
前記アクセス処理手段より問い合わせの合った機器ＩＤでユーザを認証し、認証に成功すれば、該機器ＩＤで前記機器ＩＤ管理手段に問い合わせを行い、前記機器ＩＤデータベースに保持されている、該機器ＩＤの利用有効期限内かどうか判断し、利用有効期限内であれば、前記ユーザデータベースに格納されている当該ユーザのカスタマイズ情報を前記アクセス処理手段に送信する機器ＩＤ認証手段を有するセンタ。
【請求項４】
ユーザＩＤと、その有効期間を保持するユーザＩＤデータベースと、
ユーザＩＤを前記ユーザＩＤデータベースに登録し、また保持されているユーザＩＤを有効利用期間とともに旅行代理店に払い出すユーザＩＤ管理手段と、
Ｗｅｂサイトと、
ユーザデータベースと、
ユーザが前記Ｗｅｂサイトに送信したユーザカスタマイズ情報を前記ユーザデータベースに保存するサイト管理手段と、
ユーザが事前に送信した、旅行当日に使用する、ユーザ所有の通信装置の電話番号とメール番号を受信し、前記ユーザＩＤ，前記有効利用期間とともに前記ユーザＩＤデータベースに登録する手段と、
ユーザが通信情報端末を実際に使用するに際して、前記通信情報端末から送信された、通信装置の電話番号と該通信情報端末の機器ＩＤを受信する手段と、
機器ＩＤデータベースと、
前記電話番号でユーザを機器ＩＤデータベースと、認証し、認証が成功し、かつ前記利用有効期間内であれば、前記機器ＩＤと、前記ユーザＩＤデータベースの前記ユーザＩＤと前記有効利用期間と前記電話番号と前記メールアドレスを前記機器データベースに登録すると共に、前記ユーザデータベースに登録されたユーザカスタマイズ情報を当該ユーザの通信情報端末に送信する手段を有するセンタ。
【発明の詳細な説明】
【技術分野】
【０００１】
本発明は、通信情報端末のレンタル利用時の認証方法に関する。
【背景技術】
【０００２】
カーナビをユーザ端末としたネットワークサービスとしてテレマティクスがある。多くのカーナビ端末に携帯電話との接続ケーブルが設定され、様々なサービスを受けることが可能となっている。
【０００３】
また、北海道や沖縄など、鉄道が未発達の地域においては、観光客であってもその移動の足は自動車（レンタカー）が主であり、それらレンタカーのカーナビ装着率はほぼ１００％となっている。
【０００４】
普段慣れない観光地だからこそ、そのときその場にあった取得可能なテレマティクスが活躍すべきシチュエーションである。
【０００５】
従来の技術として、歩行者案内サービスのＰＤＡ貸し出しがある（非特許文献１）。本件では、事前に予約をインターネットまたはＦＡＸにて行い、借りる当日に現地にて各種処理を行う必要がある。ユーザに対するカスタマイズはコース選定程度である。
【非特許文献１】http://www.city.yokohama.jp/me/douro/press/press2002021901.html
【発明の開示】
【発明が解決しようとする課題】
【０００６】
旅行地への旅行は、北海道や沖縄といった遠隔地であればなおさら、旅行代理店によるツアーを利用し、カーナビを含むレンタカーの予約処理についても旅行代理店での予約時に一括で行うことが一般的である。
【０００７】
テレマティクスサービスのような情報提供サービスでは、あまたの情報の中から好みの情報に絞り込むためにカスタマイズを行うことが重要である。しかし、テレマティクス端末のようなユビキタス端末はユーザＩ／Ｆが貧弱であり、多くの情報を入力するには適していない。また、旅行期間中に端末を借りてからこのようなカスタマイズ情報を入力することは、旅行時間の無駄であり、ユーザ（旅行者）のニーズとは合致していない。事前にカスタマイズ情報を登録し、旅行中にそれらを参照・利用できることが必要である。
【０００８】
しかしながら、旅行代理店などの一次窓口において、オンライン端末を設置して旅行者の詳細な情報を入力してユーザＩＤを有効化することは、端末設置費用・設置スペースなどの問題があり、実施困難である。
【０００９】
本発明の目的は、旅行代理店などに設置する機器を省略しても課金体制、利用性に影響を与えにくくし、観光地などにおけるレンタカーでのテレマティクス利用障壁の低減を目指した、通信情報端末のレンタル利用時の認証方法およびセンタを提供することにある。
【課題を解決するための手段】
【００１０】
本発明の、通信情報端末のレンタル利用の際の認証方法は、
各旅行代理店にユーザＩＤを発行し、該ユーザＩＤを受け取ったユーザが送信したユーザカスタマイズ情報をデータベースに保持しておき、
情報を引き出す際に使用する通信情報端末をユーザ毎に特定し、該通信情報端末とその利用有効期間の情報をユーザＩＤに対応させて保持しておき、
ユーザが情報通信端末を実際に使用するに先立って、通信情報端末の機器ＩＤでユーザを認証し、認証が成功し、かつ前記利用有効期間であれば前記データベースに登録されたユーザカスタマイズ情報を当該ユーザの通信情報端末に送信する。
【００１１】
本発明は、旅行時に使用するレンタカーのカーナビ（テレマティクスサービス）でユーザごとに好みの情報を前もってカスタマイズしておき、ユーザが使用するときの認証において、前もってユーザＩＤを作成しておき、テレマティクスを使用する際にユーザＩＤや機器ＩＤ（ＭＡＣアドレス）、有効期間で認証しテレマティクスを使用できるようにするものである。
【００１２】
また、別の認証方法として携帯電話の番号やメールアドレスを使用して認証を行ってもよい。
【発明の効果】
【００１３】
本発明によれば、旅行代理店などに設置する機器を省略しても、課金を押さえることが可能であり、また、ユーザ毎のカスタマイズといった利用性を確保することが可能となる。
【発明を実施するための最良の形態】
【００１４】
次に、本発明の実施の形態について図面を参照して説明する。
【００１５】
図１は本発明の一実施形態のシステム構成図である。本システムはセンタ１と旅行代理店２とインタネット端末３とレンタカー店舗４とレンタカー５で構成されている。
【００１６】
センタ１はユーザＩＤデータベース１０とユーザデータベース１１と機器ＩＤデータベース１２とユーザＩＤ管理部１３とセンタＷｅｂサイト１４とサイト管理部１５と有効期間管理部１６と機器ＩＤ管理部１７とアクセス処理部１８と機器ＩＤ認証部１９で構成されている。
【００１７】
ユーザＩＤデータベース１０は、図２に示すように、ユーザＩＤと、ユーザＩＤの有効期間を保存する。ユーザデータベース１１は、図３に示すように、ユーザＩＤと、ユーザの各種情報を保存する。ユーザ情報として、例えば、年齢や性別、旅行ルートや食事の好み、現地でアクセスしたい情報、過去の旅行履歴、過去のユーザＩＤを記録する。過去のユーザＩＤを記録することで本サービスを継続して利用するユーザの利便が図られる。すなわち、以前に登録した情報を引き継いだり、利用頻度に応じた割引を受けられたり、旅行後もユーザＩＤが保持されることにより、口コミ情報を登録したりと言ったことが可能となる。機器ＩＤデータベース１２は、図４に示すように、各テレマティクス機器の機器ＩＤと、該テレマティクス機器を利用するユーザのユーザＩＤと、該テレマティクス機器を利用できる期間である有効期間からなるレコードを保持する。ユーザＩＤ管理部１３はユーザＩＤデータベース１０に保持されている複数のユーザＩＤを各旅行代理店２にＦＡＸや郵便を利用して定期的に払い出す。サイト管理部１５は、インタネット端末３からインタネット経由でセンタＷｅｂサイト１４に接続して入力した、自分の旅行ルートや食事の好み、現地でアクセスしたい情報などをユーザデータベース１１に登録する。有効期間管理部１６はレンタカー店舗４の機器ＩＤ登録端末４１から旅行者が入力した、機器ＩＤ、該旅行者のユーザＩＤ、テレマティクス端末利用者有効期間（レンタカー利用時間）を機器ＩＤ管理部１７を介して機器ＩＤデータベース１２に登録する。アクセス処理部１８はレンタカー５内のテレマティクス端末５１が機器ＩＤによる認証を要求すると、機器ＩＤ認証部１９に問い合わせる。機器ＩＤ認証部１９は問い合わせのあった機器ＩＤについて機器ＩＤ管理部１７に問い合わせを行ない、機器ＩＤデータベース１２内の当該レコードの有効期間内かどうかを判断する。アクセス処理部１８は機器ＩＤデータベース１２内で機器ＩＤと関連づけられたユーザＩＤについてユーザＩＤ管理部１３に問い合わせ、当該ユーザの事前に登録した情報をユーザデータベース１１より取得する。
【００１８】
次に、本実施形態の動作を説明する。
【００１９】
ユーザＩＤ管理部１３は定期的に各旅行代理店２に対しＦＡＸや郵便の既存インフラを活用して複数のユーザＩＤを払い出す。
【００２０】
旅行代理店２では、テレマティクス利用を行うツアーを予約した旅行者に対し、センタ１よりすでに払い出されているユーザＩＤのうち一つを通知する。これは、レンタカーのクーポンと同様のクーポンを使用する。旅行前までに（例えば一週間ごとにその週の分をまとめてといった具合に）センタ１に払い出し済みのユーザＩＤをＦＡＸや郵便を用いて通知することで、不正利用をより排除することが可能となるが、この通知を行わなくても下記に示すように一定の不正利用排除の効果は見込まれる。
【００２１】
旅行者は、インタネット端末３より事前にインタネット経由などのセンタ１のサイト１４に接続し、自分の旅行ルートや食事の好み、現地でアクセスしたい情報などをユーザデータベース１１に登録する。このセンタのサイト１４は、サイト管理部１５が生成し、ユーザＩＤデータベース１０の情報を用いて管理する。
【００２２】
旅行当日、旅行者は現地のレンタカー店舗４に赴き、予約していたレンタカーおよびテレマティクスサービスのクーポンを提示する。これにより、レンタカー店舗４では、当該旅行者の乗車するレンタカーが確定すると共に、取り付けてあるテレマティクス端末の機器ＩＤが確定する。機器ＩＤはテレマティクス端末固有のＩＤであり、ソフトウェア的に書き換え困難なＭＡＣ（Media Access Control）アドレスなどを利用する。この確定した機器ＩＤおよび当該旅行者のユーザＩＤ、テレマティクス端末利用有効期間（レンタカー利用期間）を機器ＩＤ登録端末４１によりセンタ１に通知する。センタ１では、有効期間管理部１６が機器ＩＤとユーザＩＤを結び付けると共に有効期間を設定する。これは、機器ＩＤ管理部１７により機器ＩＤデータベース１２に図４のように格納される。
【００２３】
旅行者がレンタカーに乗車し、テレマティクス端末を利用する際には、テレマティクス端末は機器ＩＤによる認証を要求する。センタ１では、アクセス処理部１８が機器ＩＤ認証部１９に問い合わせを行い、機器ＩＤ認証部１９は問い合わせのあった機器ＩＤについて機器ＩＤ管理部１７に問い合わせを行い、機器ＩＤデータベース１２内の当該レコードの有効期間内かどうかを判断する。有効期間内であれば機器ＩＤデータベース１２内で機器ＩＤと関連づけられたユーザＩＤについて、ユーザＩＤ管理部１３に問い合わせを行い、当該ユーザの事前に登録した情報などをユーザデータベース１１より取得する。
【００２４】
以上の動作により、旅行者は、テレマティクス端末利用中に事前に登録した情報に従ってカスタマイズされた情報サービスを受けることが可能となる。
【００２５】
有効期間管理部１６は一定の間隔で機器ＩＤデータベース１２を縦覧し、有効期間が切れた機器ＩＤについては、そのユーザＩＤと有効期間の内容を抹消し、当該機器ＩＤを次に登録されるまで利用不能とする。
【００２６】
当然のことながら、旅行者は必ずしも事前にセンタＷｅｂサイト１４に接続して、カスタマイズ情報を登録する必要はない。その場合には一般的なサービスを受けることになる。
【００２７】
別の方法としてレンタカー店舗４にも機器ＩＤ登録端末を設置しない実施形態を示す。このときのシステム構成を図３に示す。
【００２８】
本実施形態では、旅行代理店２に払い出すユーザＩＤには、事前に有効期間（例えば一ヶ月）が決まっており、旅行代理店２が旅行者にユーザＩＤを渡す際には、旅行期間（レンタカーを借りる期間）がユーザＩＤの有効期間に含まれるようにする。
【００２９】
本実施形態では、テレマティクス端末とセンタ１間の通信には旅行者所有の通信装置（携帯電話）を利用する。旅行者は事前にインタネット接続可能な端末（携帯電話でも良い）にてセンタＷｅｂサイト１４にアクセスし、旅行当日に利用する通信装置の電話番号とメールアドレスを登録する。本情報はサイト管理部１５にてユーザＩＤデータベース１０に登録される。この場合のユーザＩＤデータベース１０のレコード例を図６に示す。ユーザデータベース１１のレコードは図３と同じである。
【００３０】
旅行当日にテレマティクス端末装備のレンタカーに乗車した旅行者は、通信装置を接続する。テレマティクス端末は通信装置の電話番号を取得する。通信装置の電話番号と機器ＩＤとを本文としたメールを、通信装置のアドレス発でセンタ１に送信する。
【００３１】
センタ１のアクセス処理部１８では、メールの発アドレスと本文中の電話番号にてユーザＩＤデータベース１０内の検索を行い、有効期間を取得する。有効期間外であれば、当該テレマティクス端末の利用を拒絶する。有効期間内であれば、機器ＩＤデータベース１２に機器ＩＤと、ユーザＩＤデータベース１０のユーザＩＤ、有効期間、電話番号、メールアドレスの登録を行う。この場合の機器ＩＤデータベース１２のレコード例を図７に示す。本認証は毎日１回〜数回行い、機器ＩＤとユーザＩＤのマッチングを保つようにする。この後、第１の実施形態と同様の動作が行われる。
【００３２】
ここで、ユーザＩＤデータベース１０に保持されている電話番号はユーザＩＤの逆引きを目的としている。また、メールアドレスは、ユーザの携帯電話のメールアドレス宛にメールを送ることで、ｉナビリンク対応のカーナビであれば、そのメールを表示することが可能であり、そのメール内に各種サービスサイトへのリンクを記載することで、ユーザはワンクリックで当該サービスサイトに到達することが可能となる。また、機器ＩＤデータベース１２にこれらを格納するのは、検索スピードを上げるため（複数テーブルの結合は時間がかかるため）と、各テーブルの意味づけを分けるためである。
【図面の簡単な説明】
【００３３】
【図１】本発明の第１の実施形態のシステム構成図である。
【図２】ユーザＩＤデータベースのレコード例を示す図である。
【図３】ユーザデータベースのレコード例を示す図である。
【図４】機器ＩＤデータベースのレコード例を示す図である。
【図５】本発明の第２の実施形態のシステム構成図である。
【図６】第２の実施形態におけるユーザＩＤデータベースのレコード例を示す図である。
【図７】第２の実施形態における機器ＩＤデータベースのレコード例を示す図である。
【符号の説明】
【００３４】
１    センタ
２    旅行代理店
３    インタネット端末
４    レンタカー店舗
５    レンタカー
１０    ユーザＩＤデータベース
１１    ユーザデータベース
１２    機器ＩＤデータベース
１４    センタＷｅｂサイト
１５    サイト管理部
１６    有効期間管理部
１７    機器ＩＤ管理部
１８    アクセス処理部
１９    機器ＩＤ認証部
４１    機器ＩＤ登録端末
５１    テレマティクス端末
【図１】
2005173712.tif 000003
【図２】
2005173712.tif 000004
【図３】
2005173712.tif 000005
【図４】
2005173712.tif 000006
【図５】
2005173712.tif 000007
【図６】
2005173712.tif 000008
【図７】
2005173712.tif 000009